(57)【要約】【課題】  乾式工法による笠木の利点を生かしつつ、笠木と躯体との相対的変動を許容し、笠木がホルダーから脱落しにくいようにする。【解決手段】  躯体５に固定したホルダー３に通気間隙を持たせて被嵌してなる笠木構造において、笠木の側面部４ｂ外側へ被嵌する係止部１を形成し、その下部を内側に折返して笠木側面下端部が係止するホルダーの側面部３ｂの内側部分への係合部２を形成した構成を有する固定部材により、笠木を長手方向に伸縮可能に係止する構成とした。【選択図】      図２
2006336205.tif 000002
【特許請求の範囲】
【請求項１】
躯体に固定したホルダーに躯体との通気間隙を持たせて笠木を被嵌してなる笠木構造において、笠木の側面部外側への係止部を形成し、笠木側面下端部が係止するホルダーの側面部の内側部分への係合部を形成した構成を有する固定部材により、笠木を長手方向に伸縮可能に係止する構成の建築用笠木の固定構造。
【請求項２】
笠木の側面部外側に被嵌する係止部を形成し、係止部の下部を内側に折返して、ホルダーの側面部内側に挟持状態で当接する係合部を形成した構成を有する請求項１に記載の建築用笠木の固定構造。
【請求項３】
係合部にはホルダーの側面部内側に圧接するばね弾性を付与してなる請求項２に記載の建築用笠木の固定構造。
【請求項４】
笠木の側面部外側への当接面に笠木側面を外側から押圧可能なネジを装着して係止部を形成し、係止部の下部を折返してホルダーの側面部内側に沿う係合部を形成した構成を有する請求項１に記載の建築用笠木の固定構造。
【発明の詳細な説明】
【技術分野】
【０００１】
本発明は躯体屋上のパラペット天端などに取り付ける笠木の固定構造に関する。
【背景技術】
【０００２】
躯体屋上のパラペット天端部には、汚れや破損を防止し、雨仕舞を確実にし、結露や溜水を生じさせないようにするために、笠木が装着されている。多くは、その効果を高めるために、天端部に適宜間隔をおいてホルダーを直接固定し、このホルダーに長尺体の笠木を被嵌させることにより、天端部との間に通気間隙を保つようにした所謂乾式工法の笠木設置が行われている。
しかしながら、笠木の固定はホルダーへの嵌合によるものであるため、大地震や強台風などで著しく強い外圧を受けた場合、嵌合が外れ、離脱、脱落のおそれがあった。
この対策として、笠木と躯体に固着したアンカーボルトとをワイヤや鎖などの連結部材でつなぎ、笠木が離脱しても脱落を防止できるようにした工法が下記文献に開示されている。また、笠木をアングル材を介して躯体に直接ネジ結合して固定するようにした工法も同文献の図８に開示されている。
【特許文献１】特開２００４−２６３４３７号公報
【発明の開示】
【発明が解決しようとする課題】
【０００３】
しかしながら、上記前者の構成では、笠木が躯体即ちホルダーから離脱するのを防止することができず、また、後者の構成では、笠木がネジ結合されてしまうため、笠木の伸縮などによる笠木と躯体との相対的変動に対応できない問題を解決することができない。
本発明は上記のような課題に着眼してなしたものであり、乾式工法による笠木の利点を生かしつつ、笠木と躯体との相対的変動を許容し、かつ笠木がホルダーから脱落しにくいようにした笠木の支持構造を提供せんとするものである。
【課題を解決するための手段】
【０００４】
上記課題を解決するために、本発明は、躯体に固定したホルダーに躯体との通気間隙を持たせて笠木を被嵌してなる笠木構造において、笠木の側面部外側への係止部を形成し、笠木側面下端部が係止するホルダーの側面部の内側部分への係合部を形成した構成を有する固定部材により、笠木を長手方向に伸縮可能に係止する構成の建築用笠木の固定構造としたことを特徴とするものである。
【０００５】
上記構成において、係止部は笠木の側面部外側に被嵌するように形成し、係止部の下部を内側に折返して、ホルダーの側面部内側に挟持状態で当接する係合部を形成するようにすることができる。この係合部にはホルダーの側面部内側に圧接するばね弾性を付与してあることが好ましい。
或いは上記構成において、係止部は笠木の側面部外側への当接面に笠木側面を外側から押圧可能なネジを装着して形成し、係止部の下部を折返してホルダーの側面部内側に沿う係合部を形成するようにすることもできる。
【発明の効果】
【０００６】
上記構成によれば、笠木は所謂乾式工法により設置することができると同時に、躯体に固定したホルダー側面部とホルダーに被嵌した笠木側面部とを挟着状態で係止し固定するようにしたので、笠木とホルダーの係合を脱離させることなく支持し、しかも笠木の長手方向への伸縮による笠木と躯体側との相対的変動を吸収することができる。固定操作は、固定部材をホルダーと笠木の係合端部に係合しつつ、笠木側面部に係止させればよく、操作は簡便であり、施工性に優れている。
【発明を実施するための最良の形態】
【０００７】
以下、本発明の好ましい実施形態を図面によって説明する。
図１〜図３は第一の実施例を、図４，５は第二の実施例を示している。ただし、本発明はこれらの例示によって限定されるものではない。
【０００８】
本発明の笠木の固定構造は、固定部材の係止部１と係合部２とをホルダー３側面部と笠木４側面部の係合状態を外れないように係合させて行うようにしたものである。
なお、上記ホルダー３は、躯体５（例えばパラペット）天端部に適宜間隔をおいてアンカーボルトなどにより固定し、躯体面との間に一定間隙を維持させて笠木を被嵌させるようにした笠木受け部材であり、従来公知の或いは新規構成も含めた任意構成の部材とすることができ、図では天端面に載置する上面部３ａの両側に下折れした側面部３ｂを形成したものを示してある。笠木４も上記同様に任意構成とすることができ、ホルダー３に被嵌して上記天端部を間隙を保って被覆する長尺材であり、図では天面部４ａの両側に下折れした側面部４ｂを形成し、両側面部下端にはホルダー側面部下端に係止する内折れ係止縁部４ｃを形成したものを示してある。
【０００９】
第一の実施例において、固定部材は、ホルダーの側面部３ｂよりも広い左右巾を有した金属板材の上下部を折曲して係止部１と係合部２とを形成してなり、係止部１は、笠木側面部４ｂの外側面へ当接する当接面１ａと、その上端を笠木天面部４ａの縁部に被嵌するように内折れさせた上折れ縁１ｂと、当接面下端を笠木係止縁部４ｃの下側に被嵌するように内折れさせた下折れ部１ｃとにより構成し、係合部２は、上記下折れ部１ｃをさらに延長した板部を左右に三分した状態で上方に折返し、三分の中央部をホルダー側面部３ｂの裏側に圧接するように形成したホルダー圧接部２ａと、左右両側部をホルダー側面部３ｂの左右両外側において笠木側面部４ｂの裏側面に対面乃至圧接して当接するように形成した笠木当接部２ｂ，２ｂとにより構成してある。
【００１０】
上記構成の固定部材を用いれば、ホルダー３に笠木を被嵌した後、ホルダー側面部３ｂの下から裏側にホルダー圧接部２ａを当てるとともに、該ホルダー側面部の両外側位置において笠木側面部４ｂの裏側に笠木当接部２ｂを当て、この状態で当接面１ａを笠木側面部４ｂの外側面に当接しつつ、上折れ縁１ｂが笠木天面部４ａ側に係止するように係止部１を押し付ければ、固定部材は係合部２がホルダーと笠木の係合した側面下端部を挟圧着して笠木側面部に被嵌し、脱落することなく固定される。
ホルダー圧接部２ａは、ホルダー３と笠木４を圧着して同時に押さえ、笠木当接部２ｂはホルダー側面部３ｂの左右外側に当たるので、固定部材の横ずれを防止することができる。また、笠木４は固定部材で表裏方向に押えられているだけなので、長手方向の伸縮を規制されず、温度変化に対応することができる。
【００１１】
上記ホルダー圧接部２ａ及び笠木当接部２ｂは若干のばね弾性を持たせ得るように湾曲状など適宜に折曲することができる。
また、上記構成の変形として、ホルダー圧接部２ａのみを設け、笠木圧接部２ｂ、２ｂを設けない構成の固定部材、或いは、笠木圧接部２ｂを左右いずれか一側にのみ設けた構成の固定部材を用いることもできる。
【００１２】
第二の実施例では、固定部材は、適宜左右巾を有した金属板材の上下部を折曲して係止部１と係合部２とを形成してなり、係止部１は、前記実施例と同様に当接面１ａ、上折れ縁１ｂ、及び下折れ部１ｃを形成するとともに、当接面１ａ内にタップ孔１ｄを形成して構成し、係合部２は、上記下折れ部１ｃをさらに延長した板部を折曲してホルダー側面部３ｂの下部裏側に沿う上折れ片２ｃを形成して構成してある。
【００１３】
上記構成の固定部材を用いれば、ホルダー３に笠木を被嵌した後、ホルダー側面部下端と笠木係止縁部４ｃの係合部分に、下側から係合部２を係合しつつ、係止部１を笠木側面部４ｂに被嵌し、タップ孔１ｄを通してタップねじ（ボルト）６を捻じ込めば、タップねじ６は笠木側面部の外側面に強く当接し、固定部材を緩みなく固定することになり、笠木は脱落することなく固定される。笠木４は固定部材で表裏方向に押えられているだけなので、長手方向の伸縮を規制されず、温度変化に対応することができる。
【００１４】
上記構成の変形として、図示しないが、タップ孔１ｄを設けず、係止部の上折れ縁１ｂの内側面に係止用のギザギザ条を形成して笠木天面部に引っ掛かるような構成を取ることもできる。また、タップ孔１ｄを設け、上折れ縁１ｂを設けない構成とすることもできる。
【図面の簡単な説明】
【００１５】
【図１】本発明に係る固定部材を示し、第一の実施例の裏側斜視図である。
【図２】図１の固定部材による固定構造を示した部分側断面図である。
【図３】図２の全体を示す略図である。
【図４】第二の実施例に係る固定部材の表側斜視図である。
【図５】図４の固定部材による固定構造を示した部分側断面図である。
【符号の説明】
【００１６】
１  係止部、    ２  係合部、
１ａ当接部、  １ｂ上折れ縁、  １ｃ下折れ部、  １ｄタップ孔、
２ａホルダー圧接部、  ２ｂ笠木当接部、  ２ｃ上折れ片、
３  ホルダー、    ３ａ上面部、  ３ｂ側面部、
４  笠木、  ４ａ天面部、  ４ｂ側面部、  ４ｃ係止縁部、
５  躯体、    ６ タップねじ
【図１】
2006336205.tif 000003
【図２】
2006336205.tif 000004
【図３】
2006336205.tif 000005
【図４】
2006336205.tif 000006
【図５】
2006336205.tif 000007